(57)【要約】【課題】リモコンの壁面への取り付け作業が容易であると共に、リモコンの位置変更も容易に行うことができるリモコン取付構造を提供する。【解決手段】リモコン取付用ベース１０の後面を壁面１に当接し、ピン１４をピン孔１３ａから挿通して壁面１に刺し込むことにより、リモコン取付用ベース１０を壁面１に固定する。次にリモコン２０の上側リブ２１及び下側リブ２２をそれぞれリモコン取付用ベース１０の上側レール１１及び下側レール１２に係合させることにより、該リモコン２０をリモコン取付用ベース１０に取り付ける。【選択図】図１
2005210308.tif 000002
【特許請求の範囲】
【請求項１】
リモコンを壁面に取り付けた構造において、
リモコン取付用ベースが壁面にピン留めされ、該リモコン取付用ベースに対しリモコンが取り付けられていることを特徴とするリモコン取付構造。
【請求項２】
請求項１において、該ベースは該リモコンよりも大であり、該リモコンの該ベースへの取付位置が変更可能であることを特徴とするリモコン取付構造。
【請求項３】
請求項１又は２において、該ベースは少なくとも一部が格子状部分となっており、
該リモコンに設けられた係止部が該格子状の部分に係止されていることを特徴とするリモコン取付構造。
【請求項４】
請求項１又は２において、該リモコンが該ベースに対し磁気的に吸着保持されていることを特徴とするリモコン取付構造。
【請求項５】
リモコンを壁面に取り付けた構造において、該リモコンに背後方向へ突出したピンが設けられており、該ピンを壁面に刺し込むことにより該リモコンを壁面に取り付けたことを特徴とするリモコン取付構造。
【請求項６】
請求項５において、該ピンは該リモコンに対し着脱可能に取り付けられていることを特徴とするリモコン取付構造。
【発明の詳細な説明】
【技術分野】
【０００１】
本発明は、リモコンを壁面に取り付けた構造に係り、例えばトイレの温水洗浄装置用リモコンをトイレルームの壁面に取り付ける場合などに採用するのに好適なリモコン取付構造に関する。
【背景技術】
【０００２】
トイレルーム等の壁面にリモコンを取り付ける場合、合成樹脂製のブラケットや金属製の取付金具を壁面にビス留めし、該ブラケット又は取付金具にリモコンを係合、装着することが広く行われている。
【０００３】
特開平７−３２４３６６号公報には、合成樹脂製のブラケット（リモコンホルダ）を壁面にビス留めし、リモコンを該ブラケットに嵌合保持させる構造が記載されている。
【０００４】
特開２０００−２０９６８５号公報には、金属プレートよりなる取付金具を壁面にビス留めし、この取付金具に設けられた爪部に対しリモコンを係止させる構造が記載されている。
【特許文献１】特開平７−３２４３６６号公報
【特許文献２】特開２０００−２０９６８５号公報
【発明の開示】
【発明が解決しようとする課題】
【０００５】
上記特開平７−３２４３６６号公報及び特開２０００−２０９６８５号公報のいずれによるリモコン取付構造においても、ブラケットあるいは取付金具は壁面にビス留めされるものであるから、リモコンの位置を変更すべくブラケット又は取付金具の取付位置を変えると、ビス痕が壁面に残ってしまう。またリモコンの壁面への取り付け作業にも手間がかかる。
【０００６】
本発明は、このような問題点を解消し、リモコンの壁面への取り付け作業が容易であると共に、リモコンの位置変更も容易に行うことができるリモコン取付構造を提供することを目的とする。
【課題を解決するための手段】
【０００７】
本発明（請求項１）のリモコン取付構造は、リモコンを壁面に取り付けた構造において、リモコン取付用ベースが壁面にピン留めされ、該リモコン取付用ベースに対しリモコンが取り付けられていることを特徴とするものである。
【０００８】
請求項２のリモコン取付構造は、請求項１において、該ベースは該リモコンよりも大であり、該リモコンの該ベースへの取付位置が変更可能であることを特徴とするものである。
【０００９】
請求項３のリモコン取付構造は、請求項１又は２において、該ベースは少なくとも一部が格子状部分となっており、該リモコンに設けられた係止部が該格子状の部分に係止されていることを特徴とするものである。
【００１０】
請求項４のリモコン取付構造は、請求項１又は２において、該リモコンが該ベースに対し磁気的に吸着保持されていることを特徴とするものである。
【００１１】
本発明（請求項５）のリモコン取付構造は、リモコンを壁面に取り付けた構造において、該リモコンに背後方向へ突出したピンが設けられており、該ピンを壁面に刺し込むことにより該リモコンを壁面に取り付けたことを特徴とするものである。
【００１２】
請求項６のリモコン取付構造は、請求項５において、該ピンは該リモコンに対し着脱可能に取り付けられていることを特徴とするものである。
【発明の効果】
【００１３】
本発明（請求項１）のリモコン取付構造にあっては、リモコン取付用のベースが壁面にピン留めされ、このベースに対しリモコンが取り付けられているため、このベースの位置を自在に変更することができる。ピンを抜いた後に残る孔はきわめて小さいから、全く目立たない。従って、何回でもベースの取付位置を変えることができる。ベースをピン留めすることから、ドライバー等の工具が不要であり、取り付け作業が容易である。
【００１４】
請求項２のリモコン取付構造にあっては、ベースの位置はそのままにしておいて、リモコンの位置を変えることができる。
【００１５】
請求項３のリモコン取付構造にあっては、リモコンの係止部をベースの格子状部分に係止することによりリモコンをベースに取り付けているため、リモコンの位置をきわめて容易に変えることができる。
【００１６】
請求項４のリモコン取付構造にあっては、リモコンがベースに磁気的に吸着しているから、リモコンを自在に任意の位置に配置することができる。
【００１７】
本発明（請求項５）のリモコン取付構造にあっては、リモコン自体にピンが設けられているので、このピンを壁面に押し込むようにしてリモコンを壁面の所望位置に取り付けることができる。この場合も、リモコンの位置替え後に壁面に残るピン孔は極めて小さく、全く目立たない。このリモコン取付構造は、上記ベースが不要であり、部品点数が少なく、低コストである。
【００１８】
請求項６のリモコン取付構造にあっては、ピンがリモコンに対し着脱可能であるから、輸送、梱包等に便利であると共に、リモコンを棚などの上に置いて使用する場合には、ピンを外しておくことができ、便利である。
【発明を実施するための最良の形態】
【００１９】
以下、図面を参照して本発明の実施の形態について説明する。
【００２０】
第１図は本発明の実施の形態に係るリモコン取付構造を説明する分解斜視図、第２図はこのリモコン取付構造の第１図のII−II線に沿う縦断面図である。
【００２１】
このリモコン取付構造は、壁面１にリモコン取付用ベース１０をピン１４によって取り付け、このリモコン取付用ベース１０に対しリモコン２０を係止させたものである。
【００２２】
該リモコン取付用ベース１０は、平板部１３と、平板部１３の前面に設けられた上側レール１１及び下側レール１２とからなっている。上側レール１１は、平板部１３の前面の上側に設けられており、該前面から前方に突出する突出片１１ａと、該突出片１１ａの先端から下方に垂下する垂下片１１ｂとからなっている。下側レール１２は、平板部１３の前面の下側に設けられており、該前面から前方に突出する突出片１２ａと、該突出片１２ａの先端から上方に立ち上がる立上片１２ｂとからなっている。平板部１３の４隅には、ピン１４を挿通するためのピン孔１３ａが設けられている。
【００２３】
リモコン２０は直方体形状となっている。リモコン２０の後面の寸法は上記平板部１３の前面の寸法と略同一となっているが、これよりも若干大きくても、また小さくてもよい。リモコン２０の後面の上側には上側リブ２１が設けられており、下側には下側リブ２２が設けられている。
【００２４】
上側リブ２１は、リモコン２０の後面から後方に突出する突出片２１ａと、該突出片２１ａの先端から上方に立ち上がる立上片２１ｂとからなっている。下側リブ２２は、リモコン２０の後面から後方に突出する突出片２２ａと、突出片２２ａの先端から下方に垂下する垂下片２２ｂとからなっている。
【００２５】
このリモコン取付用ベース１０及びリモコン２０を壁面１に取り付ける際には、先ずリモコン取付用ベース１０の後面を壁面１に当接し、ピン１４をピン孔１３ａから挿通して壁面１に刺し込むことにより、リモコン取付用ベース１０を壁面１に固定する。
【００２６】
次に、このリモコン取付用ベース１０の上側レール１１と下側レール１２とにリモコン２０の上側リブ２１及び下側リブ２２とを係合させてリモコン２０をリモコン取付用ベース１０に取り付ける。この際、例えば、上側レール１１及び下側レール１２の左端から上側リブ２１及び下側リブ２２の右端を挿入し、右方向にスライドさせることにより、リブ２１，２２をレール１１，１２に装着させる。なお、これとは逆に、左方向にスライドさせるようにしてリブ２１，２２をレール１１，１２に装着してもよい。
【００２７】
なお、レール１１，１２の左端又は右端にストッパを設け、レール１１，１２に対するリブ２１，２２の左右方向の位置決めを行ってもよい。
【００２８】
このように構成されたリモコン取付構造にあっては、リモコン取付用ベース１０が壁面１にピン留めされ、このベース１０に対しリモコン２０が取り付けられているため、このベース１０の位置を自在に変更することができる。また、ピン１４を抜いた後に壁面１に残る孔はきわめて小さいから、全く目立たない。従って、何回でもベース１０の取付位置を変えることができる。
【００２９】
なお、上記実施の形態において、リモコン取付用ベース１０に上側リブ２１及び下側リブ２２を設け、リモコン２０に上側レール１１及び下側レール１２を設けるように構成してもよい。
【００３０】
また、第３図の通り、リモコン取付用ベース４０の水平方向の長さをリモコン２０より長くしてもよい。この場合、リモコン取付用ベース４０の位置はそのままにしておいて、リモコン２０の左右位置を自由に変えることができる。
【００３１】
なお、第３図において４１は上側レールであり、４２は下側レールである。
【００３２】
第４図（ａ）はさらに異なる実施の形態に係るリモコン取付構造に用いるリモコン２０Ａの裏面斜視図、第４図（ｂ）はこのリモコン２０Ａの側面図（（ａ）図のＢ−Ｂ矢視図）、第４図（ｃ）はこのリモコン２０Ａを第１図と同一のリモコン取付用ベース１０に取り付けた状態を示す断面図である。
【００３３】
このリモコン２０Ａはその後面にリブ２４を備えている。このリブ２４は、リモコン２０Ａの後面から後方に突出する台部２４ａと、該台部２４ａから上方に立ち上がる立上片２４ｂと、台部２４ａから垂下する垂下片２４ｃとを有したＴ字形側面視形状のものである。
【００３４】
第４図（ｃ）の通り、このリブ２４の立上片２４ｂ及び垂下片２４ｃがリモコン取付用ベース１０の上側レール１１及び下側レール１２に係合されることにより、リモコン２０Ａがリモコン取付用ベース１０に取り付けられる。
【００３５】
なお、図示は省略するが、このリモコン２０Ａを第３図のリモコン取付用ベース４０に取り付けてもよい。
【００３６】
このリモコン取付構造によっても、上記実施の形態と同様の作用効果が奏される。
【００３７】
第５図は、別の実施の形態に係るリモコン取付構造を説明する分解斜視図である。
【００３８】
リモコン取付用ベース５０の前面に、１対のコ字型片５１，５１が設けられている。各コ字型片５１は、リモコン取付用ベース５０の前面から水平方向に間隔をあけて突出する１対の突出片５１ａ，５１ａと、これら突出片５１ａ，５１ａの先端同士にわたって延在する平板片５１ｂとからなる。これらコ字型片５１，５１は、リモコン取付用ベース５０の上下方向の同一高さに、左右方向に間隔をあけて設けられている。なお、ベース５０はピン１４によって壁面１に取り付けられている。
【００３９】
リモコン２０Ｂの後面に、１対のＬ型片２５，２５が設けられている。各Ｌ型片２５は、リモコン２０Ｂの後面から突出する突出片と、この突出片の先端から垂下する垂下片とからなっている。これらＬ型片２５，２５は、リモコン２０Ｂの上下方向の同一高さに、左右方向に間隔をあけて設けられている。この左右方向の間隔は、上記コ字型片５１，５１同士の左右方向の間隔と同一である。このＬ型片２５，２５をコ字型片５１，５１に係合させることにより、リモコン２０Ｂがリモコン取付用ベース５０に係止される。この実施の形態によっても、上記第１，２図の実施の形態と同様の作用効果が奏される。
【００４０】
第６図は請求項３の実施の形態に係るリモコン取付構造を説明する斜視図である。
【００４１】
この実施の形態で用いられているリモコン取付用ベース６０は、平板に多数の格子孔６１ａを設けてなる正方格子状の格子板６１と、該格子板６１の４隅の後面に設けられた平板状の耳部６２とからなっている。各耳部６２には、ピン１４を挿通するためのピン孔６２ａが設けられている。
【００４２】
リモコン２０Ｂは第５図のものと同一である。なお、Ｌ型片２５，２５同士の間隔は、格子孔６１ａの整数個分の間隔と同一となっており、各Ｌ型片２５の横幅は格子孔６１ａの横方向の孔幅よりも若干小さくなっている。
【００４３】
このリモコン取付用ベース６０をピン１４で壁面１（第６図では図示略）に留め付けた後、Ｌ型片２５，２５を格子孔６１ａ，６１ａに係止することにより、リモコン２０Ｂが壁面１に取り付けられる。
【００４４】
この実施の形態においても、前記第１，２図と同様の作用効果が奏される。また、この実施の形態にあっては、リモコン取付用ベース６０の大きさがリモコン２０Ｂよりもかなり大きく、またＬ型片２５は何度でも該ベース６０に掛け直すことができるので、リモコン２０Ｂの位置を該ベース６０の範囲内において自在に且つ極めて簡単に変えることができる。
【００４５】
第７図は請求項４の実施の形態に係るリモコン取付構造を示す分解斜視図である。
【００４６】
この実施の形態では、リモコン取付用ベース１０Ｍは、鉄板、鉄粉を配合した合成樹脂板等の強磁性材料よりなる。このベース１０Ｍは、４隅にピン孔１３ａが設けられており、ピン１４により壁面１（第７図では図示略）に取り付けられる。
【００４７】
リモコン２０Ｍには、マグネット２７が設けられており、該マグネット２７の磁気によりリモコン２０Ｍが該ベース１０Ｍに対し取り付けられる。なお、マグネット２７の大きさ、位置、個数等は図示以外であってもよい。また、ベース１０Ｍをマグネットとし、リモコン２０Ｍに鉄片等の強磁性材料体を設けてもよい。第７図ではベース１０Ｍはリモコン２０Ｍより大きいが、リモコン２０Ｍと同程度の大きさにしてもよく、リモコン２０Ｍより小さくしてもよい。
【００４８】
第８〜１１図は請求項５，６の実施の形態に係るリモコン取付構造を説明する図面であり、第８図（ａ）はピンを取り付ける前の状態を示すリモコンの斜視図、第８図（ｂ）はピンを取り付けた後の状態を示すリモコンの斜視図、第９図は第７図（ａ）のピン取付孔の部分拡大図、第１０図，第１１図は第８図のＸ−Ｘ線、XI−XI線に沿う断面図である。
【００４９】
この実施の形態では、リモコン２０Ｃの後面に１対のピン取付孔７０が設けられている。該ピン取付孔７０，７０は、第８図の通り、リモコン２０Ｃの水平方向に間隔をあけて並設されている。
【００５０】
各ピン取付孔７０は、断面円形状の大径孔７１と、この大径孔７１からリモコン２０Ｃの上方に向って延在するピン頭部収容孔７２と、該ピン頭部収容孔７２の幅方向中央を上下に沿って延在するスリット７３とからなる。このスリット７３は、大径孔７１の上端を起点としてそこから上方に延在している。このスリット７３を介してピン頭部収容孔７２がリモコン２０Ｃの背後方向に向って開放している。
【００５１】
大径孔７１はピン１４の薄い円板状の頭部１４ｈよりも若干大きい寸法となっている。ピン頭部収容孔７２の横幅は大径孔７１の直径と同じである。スリット７３の横幅はピン１４の針部１４ｎの直径よりも若干大きい寸法となっている。
【００５２】
第８図（ａ），（ｂ）及び第９図のように、大径孔７１を介してピン頭部収容孔７２にピン１４を収容させ、ピン針部１４ｎをリモコン２０Ｃの後面に突出させる。そして、該ピン頭部１４ｈをピン頭部収容孔７２の上方に移動させる。この際、ピン針部１４ｎはスリット７３内を上方に移動する。このピン針部１４ｎを壁面に刺し込むことにより、リモコン２０Ｃを壁面に取り付ける。この実施の形態にあっても、リモコン２０Ｃの位置変えが容易であり、壁面のピン痕も全く目立たない。
【００５３】
なお、ピン頭部１４ｈをピン頭部収容孔７２の上方に移動させた後、ピン１４から手を離したときにこのピン１４がピン頭部収容孔７２の下方にずり落ちるのを防止するために、ピン頭部収容孔７２の上方ではピン１４がピン取付孔７０にきつく嵌まる構成としてもよい。
【００５４】
また、同様の目的のために、第１２図のピン取付孔７０Ａのように、スリット７３Ａをその上端が横方向に延在するＬ形としてもよい。
【００５５】
第１３図のピン取付孔７０Ｂのように、スリット７３Ｂを大径孔７１から横方向に延在するように設けてもよい。
【００５６】
さらに、第１４図のピン取付孔７０Ｃのように、スリット７３Ｃを斜め下方に、且つ２個のスリット７３Ｃの下端側が接近するように構成してもよい。第１４図ではスリット７３Ｃ，７３Ｃ同士は下端側ほど接近しているが、逆にスリット７３Ｃ，７３Ｃ同士が下端側ほど離隔するように構成してもよい。
【００５７】
第８〜第１４図の実施の形態にあっては、ピン１４がリモコン２０Ｃに対し着脱可能であるから、輸送、梱包等に便利であると共に、リモコン２０Ｃを棚などの上に置いて使用する場合には、ピン１４を外しておくことができ、便利である。
【００５８】
上記実施の形態はいずれも本発明の一例であり、本発明は図示以外の形態をもとりうる。
【図面の簡単な説明】
【００５９】
【図１】実施の形態に係るリモコン取付構造を説明する分解斜視図である。
【図２】図１のII−II線に沿う縦断面図である。
【図３】異なるリモコン取付構造を説明する分解斜視図である。
【図４】図４（ａ）はさらに異なるリモコン取付構造に用いるリモコンの裏面斜視図であり、図４（ｂ）はこのリモコンの側面図であり、図４（ｃ）はこのリモコンを図１と同一のリモコン取付用ベース１０に取り付けた状態を示す断面図である。
【図５】別の実施の形態に係るリモコン取付構造を説明する分解斜視図である。
【図６】別の実施の形態に係るリモコン取付構造を説明する分解斜視図である。
【図７】別の実施の形態に係るリモコン取付構造を説明する分解斜視図である。
【図８】図８（ａ）はピンを取り付ける前の状態を示すリモコンの斜視図、図８（ｂ）はピンを取り付けた後の状態を示すリモコンの斜視図である。
【図９】図８（ａ）のピン取付孔の部分拡大図である。
【図１０】図８のＸ−Ｘ線に沿う断面図である。
【図１１】図８のXI−XI線に沿う断面図である。
【図１２】別の実施の形態に係るリモコン取付構造を説明する分解斜視図である。
【図１３】別の実施の形態に係るリモコン取付構造を説明する分解斜視図である。
【図１４】別の実施の形態に係るリモコン取付構造を説明する分解斜視図である。
【符号の説明】
【００６０】
１  壁面
１０，４０，５０  リモコン取付用ベース
１１，４１  上側レール
１１ａ  突出片
１１ｂ  垂下片
１２，４２  下側レール
１２ａ  突出片
１２ｂ  立上片
１３  平板部
１４  ピン
２０，２０Ａ，２０Ｂ，２０Ｃ，２０Ｍ  リモコン
２１  上側リブ
２２  下側リブ
２５  Ｌ型片
２７  マグネット
５１  コ字型片
６０  リモコン取付用ベース
６１  格子板
６１ａ  格子孔
６２  耳部
７０，７０Ａ，７０Ｂ，７０Ｃ  ピン取付孔
７１  大径孔
７２  ピン頭部収容孔
７３，７３Ａ，７３Ｂ，７３Ｃ  スリット
【図１】
2005210308.tif 000003
【図２】
2005210308.tif 000004
【図３】
2005210308.tif 000005
【図４】
2005210308.tif 000006
【図５】
2005210308.tif 000007
【図６】
2005210308.tif 000008
【図７】
2005210308.tif 000009
【図８】
2005210308.tif 000010
【図９】
2005210308.tif 000011
【図１０】
2005210308.tif 000012
【図１１】
2005210308.tif 000013
【図１２】
2005210308.tif 000014
【図１３】
2005210308.tif 000015
【図１４】
2005210308.tif 000016